(57)【要約】本発明は電動歯ブラシに係り、より詳しくは、簡単な回路の操作によって電動歯ブラシの回転方向を容易に切り替え、歯間の異物を容易に除去可能な電動歯ブラシに関連する。そのために、本発明は回転力を発生させる駆動モータと、前記駆動モータに電源を供給する電源供給器と、前記駆動モータに連結されて前記駆動モータ出力軸の回転速度を減速するための減速器とを収容できる取っ手と、前記電源供給器と前記駆動モータとの間に取り付けられ、前記駆動モータの方向を正方向または逆方向に切り替える方向切替スイッチと、前記減速器に回転可能に取り付けられた回転棒と、前記回転棒に脱着可能に取り付けられてブラシ毛の植毛されたブラシ毛部とで構成された回転歯ブラシ・バーと、前記取っ手の上端部の一側に、前記回転歯ブラシ・バーに対して平行で脱着可能に取り付けられた保護スタンドを含む。また、前記ブラシ毛部は、その上端部、中央部および下端部に植毛されたブラシ毛の長さが他の部分に植毛されたブラシ毛の長さよりも長く形成される。
2005506143.tif 000002
【特許請求の範囲】
【請求項１】
回転力を発生させる駆動モータと、前記駆動モータに電力を供給する電力供給器と、前記駆動モータに連結されて前記駆動モータ出力軸の回転速度を減速するための減速器とを収容する取っ手と、
前記電力供給器と前記駆動モータとの間に設けられ、方向切替回路を操作して簡単に前記駆動モータの回転方向を正方向または逆方向に切り替える方向切替スイッチと、
前記減速器に回転可能に取り付けられた回転棒と、前記回転棒に脱着可能に取り付けられてブラシ毛が植毛されたブラシ毛部とで構成された回転歯ブラシ・バーと、
前記取っ手の上端部の一側に、前記回転歯ブラシ・バーに対して平行で脱着可能に取り付けられた保護スタンドを含むことを特徴とする電動歯ブラシ。
【請求項２】
前記ブラシ毛部は、その上端部、中央部および下端部に植毛されたブラシ毛の長さが他の部分に植毛されたブラシ毛の長さよりも長く形成されたことを特徴とする請求項１に記載の電動歯ブラシ。
【請求項３】
前記ブラシ毛のうち最も短い部分の長さは約３ｍｍで、前記ブラシ毛のうち最も長い部分の長さは約７ｍｍで、前記ブラシ毛部の上端部と中央部との間の距離および中央部と下端部との間の距離は、約１０ｍｍ であることを特徴とする請求項２に記載の電動歯ブラシ。
【請求項４】
前記ブラシ毛部のその一側と他側には、ブラシ毛が交互に植毛されていることを特徴とする請求項１に記載の電動歯ブラシ。
【請求項５】
上端部に一つ以上の穴が形成されており、外面の一側には携帯を容易にするためのホルダーが取り付けられ、前記回転歯ブラシ・バーと前記保護スタンドとを覆うための歯ブラシ蓋を更に含むことを特徴とする請求項１から４のいずれか１項に記載の電動歯ブラシ。
【発明の詳細な説明】
【技術分野】
【０００１】
本発明は、電動歯ブラシに係り、より詳細には方向切替回路の操作によって簡単に回転方向を切り替えることができ、歯間の異物を除去し易くて携帯の容易な電動歯ブラシに関する。
【背景技術】
【０００２】
歯ブラシは、歯、歯間などを人体に有害な菌から保護する洗面道具中の一つであって、それには、ユーザが取っ手をもって一定方向に動かして作動させる手動式歯ブラシと、駆動モータのような電動機によって回転される電動歯ブラシとがある。
【０００３】
従来の歯ブラシを用いて歯を磨く方法は、幾つかある。
前記手動式歯ブラシを用いる方法には、前記歯ブラシを歯に当てて往復運動させるようなスクレーピング法（scraping method）や、ブラシ毛部を約４５°傾けてブラシ毛を歯間に当てて前後に振動させるようなバス法（Bass method）や、歯ブラシを歯および歯ぐきなどに当てて上下または円運動させる方法などがある。
【０００４】
しかし、前記通常の手動式歯ブラシを用いてバス法、上下または円運動させる方法などで適宜に歯を磨く方法は、習得することが難しい短所がある。また、良くない歯磨き習慣が身についてしまったユーザの場合は、容易に適宜な歯磨き方法を習得することが一層不便であって、実際に、熟練者にとっても歯ブラシの上下運動や円運動などは非常に煩わしいものであったので、ほとんどの場合歯磨きは歯ブラシの前後運動のみで終了してしまう場合が多かった。
【０００５】
結果として、異物除去が效果的に行われず歯ぐきなどに炎症が発生するなど間違った習慣などによって口腔衛生を害してしまう不都合があった。
そこで、駆動モータのような電動機によって回転される電動歯ブラシが開発されるようになった。
【０００６】
従来の電動歯ブラシとしては、単純震動式または回転式などのようなものが発明されているが、前記単純震動式電動歯ブラシは、歯磨きのときユーザの体力消耗は少ないが単純な前後運動のみで終わるので異物が効果的に除去されていなかった。
【０００７】
また、前記回転式電動歯ブラシは、ほとんどが一方向のみに回転するものであって、上下の歯を逆方向に磨くためには両手を用いて交互に磨かなければならないという使用上の不便があった。
【０００８】
また、従来の電動歯ブラシのほとんどは一体型に形成されており、ブラシ毛部を交換できない短所があり、ブラシ毛の回転から歯および歯間など以外の口腔内の部分を保護するのには充分ではない短所があった。
【０００９】
また、回転式電動歯ブラシを用いる場合でも、歯間の異物をきれいに取り除くことができない短所があった。ここで、歯間の異物を取り除くための別途の歯間ブラシを用いていた。
【００１０】
しかし、図５に示されたこのような従来の歯間ブラシは、歯間のみを清潔にすることができるので、歯を清潔にするためには別途の歯ブラシを使用しなければならない短所があった。
【発明の開示】
【発明が解決しようとする課題】
【００１１】
本発明は、上記のような問題点に鑑みて提案されたものであって、本発明の目的は、方向切替回路の操作によって簡単に駆動モータの回転方向を正方向または逆方向に容易に切替可能な電動歯ブラシを提供することにある。
【００１２】
本発明の他の目的は、歯間の異物の除去が容易で、携帯の容易な電動歯ブラシを提供することにある。
【課題を解決するための手段】
【００１３】
上記目的を達成するために、本発明による電動歯ブラシは、回転力を発生させる駆動モータと、前記駆動モータに電力を供給する電力供給器と、前記駆動モータに連結されて前記駆動モータ出力軸の回転速度を減速するための減速器とを収容する取っ手と、
前記電力供給器と前記駆動モータとの間に取り付けられて方向切替回路を操作して簡単に前記駆動モータの回転方向を正方向または逆方向に切り替える方向切替スイッチと、
前記減速器に回転可能に取り付けられた回転棒と、前記回転棒に脱着可能に取り付けられ、ブラシ毛の植毛されたブラシ毛部とで構成された回転歯ブラシ・バーと、
前記取っ手の上端部の一側に前記回転歯ブラシ・バーに対して平行で脱着可能に取り付けられた保護スタンドとを含む。
【００１４】
前記ブラシ毛部は、その上端部、中央部および下端部に植毛されたブラシ毛の長さが他の部分に植毛されたブラシ毛の長さよりも長く形成されるか、前記ブラシ毛のその一側と他側には交互にブラシ毛が植毛される。
【００１５】
前記電動歯ブラシは、上端部に一つ以上の穴が形成されており、外面の一側には携帯を容易にするためのホルダーの取り付けられた歯ブラシ蓋を更に含む。
【発明を実施するための最良の形態】
【００１６】
以下、本発明による好ましい実施の形態を添付図面を参照して詳しく説明する。
しかし、下記の実施の形態は本発明を具体的に例示するためのものであって、本発明の権利範囲を制限するものではない。なお、本発明の単純な設計上の変形ないし変更は、当業者にとっては容易に実施できるものであり、かかる変形や変更は、すべて本発明の範囲に含まれる。
【００１７】
図１は、本発明の一実施の形態による電動歯ブラシの斜視図である。
同図に示すように、本発明による電動歯ブラシは、取っ手１０、方向切替ボタン１２、１４、回転歯ブラシ・バー２０、保護スタンド３０および歯ブラシ蓋４０を具備する。
【００１８】
前記取っ手１０には、駆動モータ、電力供給器および減速器がその内部に取り付けられている（図示せず）。
【００１９】
前記電力供給器は、前記駆動モータに電力を供給するためのものであって、乾電池または蓄電器などが用いられ得る。前記駆動モータは、前記電力供給器から電力を供給され、回転力を発生させて前記回転歯ブラシ・バー２０に回転力を伝達するものであって、ＤＣモータなどが用いられ得る。前記減速器は、前記駆動モータの出力軸に結合されており、回転速度を減速させる役目をする。前記減速器としては公知のギア組立体または公知のクラッチ組立体などを用いることができる。
【００２０】
前記方向切替スイッチは、前記電力供給器から供給される電流の方向によって前記駆動モータの回転方向を切り替えるものであって、正方向切替ボタン１２と逆方向切替ボタン１４とを操作し、前記駆動モータの回転方向を切り替え（switching）る。
【００２１】
図２は、前記方向切替スイッチによって回転方向を切り替える電力供給器と駆動モータとの間の機構を示す概路図である。
【００２２】
同図に示すように、前記正方向切替ボタン１２をＡ方向に押したときは、駆動モータの左側にプラス電流が供給され、右側にはマイナス電流が供給される。これにより、駆動モータは、正方向（右手で取っ手をとった場合、前記駆動モータが右側に回転する方向）に回転する。この場合、逆方向切替ボタン１４の内側スイッチが作動することを防止するために裏面には絶縁体が形成される。
【００２３】
前記逆方向切替ボタン１４をＢ方向に押したとき、駆動モータの左側にはマイナス電流が供給され、右側にはプラス電流が供給される。これにより、駆動モータは逆方向（正方向の反対方向）に回転される。この場合にも、正方向切替ボタン１２の内側スイッチが作動することを防止するために裏面には絶縁体が形成される。
【００２４】
前記正方向切替スイッチ１２は前記取っ手１０の一側に位置し、前記逆方向切替ボタン１４は前記取っ手１０の対向する他側に位置する。したがって、上顎の歯を磨くときは、前記正方向切替ボタン１２を作動させ、下顎の歯を磨くときは、前記逆方向切替ボタン１４を作動させる。口腔の内側、すなわち舌側から歯磨きをする場合は、上顎の歯を磨くときは、逆方向切替ボタン１４を作動させ、下顎の歯を磨くときは、正方向切替ボタン１２を作動させる。
【００２５】
これにより、上顎の歯を磨くときは、頬側であれ舌側であれ左側であれ右側であれ、上側のボタンのみを作動させ、下顎の歯を磨くときは、下側のボタンのみを作動させることにより、ボタンの操作において単純化を図っている。
【００２６】
前記回転歯ブラシ・バー２０は、ブラシ毛部２２と回転棒２４とで構成されている。
前記ブラシ毛部２２には挿入突起が形成され、前記回転棒２４には挿入溝が形成されており、前記ブラシ毛部２２は前記回転棒２４に脱着可能に結合されても良い。また、前記回転棒２４に挿入突起が形成され、前記ブラシ毛部２２に挿入溝が形成されるように形成することができ、前記挿入突起および挿入溝は一つ以上形成されても良い。
【００２７】
前記ブラシ毛部２２の下部を雌ネジ形状に成形し、前記回転棒２４の上部を雄ネジ形状に成形し、前記ブラシ毛部２２と回転棒２４とが脱着可能に結合されても良い。また、前記ブラシ毛部２２の下部を雄ネジ形状に成形し、前記回転棒２４の上部を雌ネジ形状に成形しても良い。
【００２８】
前記ブラシ毛部２２は前記回転棒２４に対して脱着可能であるので、ブラシ毛２１が摩耗してしまったときや、強度の異なるブラシ毛を使用しようとするときに交換して使用することができる。
【００２９】
図３は、本発明の一実施の形態による電動歯ブラシのブラシ毛部の部分拡大断面図である。
【００３０】
同図に示すように、前記ブラシ毛部２２は、その上端部、中央部および下端部に植毛されたブラシ毛２１の長さが、他の部分に植毛されたブラシ毛２１の長さよりも長く形成されても良い。前記ブラシ毛２１は、前記ブラシ毛部２２のフレームに３６０度に植毛されても良い。したがって、前記ブラシ毛部２２の形状を２つの砂時計を重ねた形状または「王」の字形に形成しても良い。
【００３１】
前記ブラシ毛２１のうち最も短い部分の長さａは約３ｍｍで、前記ブラシ毛２１のうち最も長い部分の長さｂは約７ｍｍに形成することが好ましい。すなわち、ブラシ毛２１の長さのうち最も長い部分と最も短い部分との差は、約４ｍｍである。これは、普通の大人においての歯のサイズは、頬側と舌側の幅が約８ｍｍであるので、歯磨きの際、頬側から４ｍｍ、舌側から４ｍｍの歯の間に近寄らせるためである。
【００３２】
前記ブラシ毛部２２の上端部と中央部との間の距離ｃおよび中央部と下端部との間の距離ｃは、約１０ｍｍに形成することが好ましい。これは、同図に示すように、歯と歯との間である歯間と他の歯間との距離は約１０ｍｍであるので、前記ブラシ毛２１のうち長い部分で前記歯間を清潔にするためである。
【００３３】
図４は、本発明の他の実施の形態による電動歯ブラシのブラシ毛部の垂直断面図である。
同図に示すように、前記ブラシ毛部２２のその一側と他側には、ブラシ毛２１が交互に植毛され、その形状は鋸歯状に形成されても良い。前記鋸歯状のブラシ毛部２２において、最も長いブラシ毛２１同士の距離は約１０ｍｍであることが好ましい。前記ジグザグ状のブラシ毛部２２は、通常の円筒型歯ブラシとは異なって、前記ブラシ毛２１が連続して歯ぐきに接触することがないので、歯ぐきにおいての火傷の発生を防止でき、特に、歯ぐきの弱い人に好適である。
【００３４】
前記保護スタンド３０は、回転するブラシ毛２１が歯および歯ぐき以外の組織、すなわち、頬側の頬や舌側の舌の損傷を防ぐためのものである。前記保護スタンド３０は、前記回転歯ブラシ・バー２０に対して平行に、前記取っ手１０の上端の一側に脱着可能に取り付けられている。前記保護スタンド３０の脱着は、前記回転歯ブラシ・バー２０の脱着方式と同様に行うことができる。
【００３５】
前記電動歯ブラシは、前記回転歯ブラシ・バー２０と前記保護スタンド３０とを保護するための歯ブラシ蓋４０を更に備えても良い。
【００３６】
第１図には、前記歯ブラシ蓋の一部分が示されている。同図に示すように、前記歯ブラシ蓋４０の上端部には一つ以上の穴４４が形成されており、その外面の一側には容易に携帯可能にするためのホルダー４２が取り付けられている。前記穴４４を形成すれば、歯ブラシ蓋４０を閉めた状態においてもブラシ毛部２２に湿気が溜まらないので細菌発生の原因を取り除くことができ、より衛生的になる。
【００３７】
また、前記歯ブラシ蓋の外部を有名キャラクターや絵などでデザインすることにより、外観の美麗な電動歯ブラシを提供することができる。
【００３８】
上述した本発明による電動歯ブラシによれば、前記電力供給器と前記駆動モータとの間に取り付けられ、方向切替回路の操作によって簡単に前記駆動モータの回転方向を正方向または逆方向に切り替え、歯だけでなく歯間の異物の除去および携帯の容易な電動歯ブラシが提供される。
【００３９】
また、本発明によれば、ブラシ毛部を口腔内の歯の部分によって適宜かつ容易に回転させる方向切替スイッチを備える電動歯ブラシが提供される。
【００４０】
また、本発明によれば、ブラシ毛部の交換が可能であって、電動歯ブラシ本体を半永久的に使用できるような電動歯ブラシが提供される。
【００４１】
また、本発明によれば、歯磨きの際に歯および歯間などといった歯磨きの対象となる部位以外の口腔内部をも保護できる電動歯ブラシが提供される。
【００４２】
また、本発明による電動歯ブラシは、非常に衛生的である。
また、本発明による電動歯ブラシは、上部に蓋を形成することにより、外観が美麗で、携帯が容易で、かつ衛生的となる。
【図面の簡単な説明】
【００４３】
【図１】本発明の一実施の形態による電動歯ブラシの斜視図である。
【図２】第１図の方向切替スイッチの概路図である。
【図３】第１図のブラシ毛部の部分拡大断面図である。
【図４】本発明の他の実施の形態による電動歯ブラシのブラシ毛部の垂直断面図である。
【図５】従来の歯間ブラシの斜視図である。
【図２】
2005506143.tif 000003
【国際公開パンフレット】
2005506143.tif 000004
2005506143.tif 000005
2005506143.tif 000006
2005506143.tif 000007
2005506143.tif 000008
2005506143.tif 000009
2005506143.tif 000010
2005506143.tif 000011
2005506143.tif 000012
2005506143.tif 000013
2005506143.tif 000014
2005506143.tif 000015
2005506143.tif 000016
2005506143.tif 000017
【国際調査報告】
2005506143.tif 000018